(57)【要約】  本発明は開閉ビニール固定装置及びビニールハウスに関し、開閉ビニール固定装置を利用して屋根に形成された開閉窓を自在に開閉することができ、ビニール開閉駆動部（開閉器）がビニールの最下端に位置した時、ビニール支持パイプがビニール窓のビニールを完全に解かないで若干巻いてビニール窓の外部分に位置しているという既存の固定観念を打破して、ビニール窓を閉める時、ビニール支持パイプをもうちょっと回してビニールが完全に解けてアークフレームとビニール窓のビニールとの間にビニール支持パイプが位置されて空間を形成し、その空間の間で開閉ビニール固定装置によってビニール支持パイプが固定されるようにすることを特徴とする。
2018500005.tif 000002
【特許請求の範囲】
【請求項１】
ビニールハウスの開閉ビニールの下部をアークフレームに着脱可能に固定して、前記開閉ビニールを閉まった状態に保持させる開閉ビニール固定装置において、
前記開閉ビニールは、上端がビニール支持パッドに固定され、下端がビニール支持パイプに結合され、
前記ビニール支持パッドが挿入されるパッド挿入溝が備えられ、前記パッド挿入溝を中心に一側に前記アークフレームに回動可能に結合されるパイプ結合溝を有し、前端に前記ビニール支持パイプに係止結合される支持パイプ係止突起が形成された固定本体と、
前記固定本体が前記アークフレームに対して弾性的に上下方向に移動するように支持する弾性部材とを含むことを特徴とする開閉ビニール固定装置。
【請求項２】
前記固定本体の上面には前記ビニール支持パイプが上下に移動される時、前記ビニール支持パイプの移動を案内する曲面状の支持パイプ案内面が備えられることを特徴とする請求項１に記載の開閉ビニール固定装置。
【請求項３】
前記パッド挿入溝を中心に他側面に内側方向へ所定深さ陥没するように形成され、上方向に前記支持パイプ係止突起が延長して形成された支持パイプ係止面が備えられることを特徴とする請求項２に記載の開閉ビニール固定装置。
【請求項４】
前記パッド挿入溝の一側内壁面は前記ビニール支持パッドの形状に対応するように内側に突出して形成されたパッド当接面が形成され、前記ビニール支持パイプの移動によって前記固定本体が下部に移動した時、前記パッド当接面が前記ビニール支持パッドの上面に当接し、前記ビニール支持パッドと前記支持パイプ案内面とが連結されることを特徴とする請求項３に記載の開閉ビニール固定装置。
【請求項５】
前記支持パイプ案内面に水平方向に所定面積で延長して形成されて、前記固定本体の上下回動時にビニールの損傷を防止するビニール保護板をさらに含むことを特徴とする請求項４に記載の開閉ビニール固定装置。
【請求項６】
前記固定本体の板面に上下に所定長さ貫通して形成される移動制限溝と、
前記移動制限溝を通じて前記アークフレームに挿入されて前記ビニール支持パイプの移動によって前記固定本体が上下に移動される範囲を制限する移動制限軸とを含むことを特徴とする請求項５に記載の開閉ビニール固定装置。
【請求項７】
長さ方向に沿って配置される複数のアークフレームと、前記複数のアークフレームを連結する水平フレームとを有するフレーム部と、
前記アークフレームに沿って所定間隔で備えられて、ビニールを固定する複数のビニール支持パッド部と、
隣接する複数のビニール支持パッド部の間に固定結合される固定ビニール部と、
前記固定ビニール部と隣接するように配置され、上端は前記ビニール支持パッド部に固定され、下端はビニール支持パイプに結合される開閉ビニール部と、
前記ビニール支持パイプに結合されて前記ビニール支持パイプを正逆回動させて、前記開閉ビニール部が前記フレーム部に対して開閉されるようにするビニール開閉駆動部と、
前記請求項１〜６の中の何れか一項に記載の開閉ビニール固定装置と、を含むことを特徴とするビニールハウス。
【請求項８】
ビニールハウスの骨組みを形成するビニールハウスフレーム部と、
ビニール支持パイプと、前記ビニール支持パイプを駆動させるビニール開閉駆動部と、前記ビニール支持パイプと一側が連結され、他側が前記ビニール支持パイプに連結された開閉ビニールとを含むビニールハウスにおいて、
前記ビニール開閉駆動部は、ビニールハウスのビニール窓を閉める時、前記ビニール支持パイプを前記開閉ビニールが完全に解けるように回転させた後、前記開閉ビニールが反対方向に巻き上げられるように前記ビニール支持パイプをさらに回して前記ビニールハウスフレーム部と前記開閉ビニールとの間に空間を形成させ、前記空間に設置された開閉ビニール固定装置に前記ビニール支持パイプが固定されることを特徴とするビニールハウス。
【発明の詳細な説明】
【技術分野】
【０００１】
本発明は開閉ビニール固定装置及びこれを含むビニールハウスに関し、より詳しくは、開閉ビニール固定装置を利用して屋根に形成された開閉窓を自在に開閉することができ、ビニール開閉駆動部（開閉器）がビニールの最下端に位置した時、ビニール支持パイプがビニール窓のビニールを完全に解かないで若干巻いて、ビニール窓の外部分に位置しているという既存の固定観念を打破して、ビニール窓を閉める時、ビニール支持パイプをもうちょっと回してビニールが完全に解けてアークフレームとビニール窓のビニールとの間にビニール支持パイプが位置されて空間を形成し、その空間の間で開閉ビニール固定装置によってビニール支持パイプが固定されるようにするビニールハウスに関する。
【背景技術】
【０００２】
一般的に、ビニールハウスの内部で栽培される作物の安定的な生育のためにビニールハウスの内部の温度、湿度などを調節する必要がある。このために、韓国公開特許第１０−２０１０−００６７４９４号の「ビニールハウスのビニール開閉装置」に開示されたようにビニールハウスの側面を開放することができる構造が開発される。
【０００３】
ところが、開示されたような従来のビニールハウスは出入口と横窓は開閉が自在になるが、屋根窓は自在に開閉することができなくて、夏の高温季節にビニールハウスの内部の高温現象と換気の不良、水分不足によって各種病害が発生するという被害を受けている。
【０００４】
図１２は従来技術のビニールハウスの屋根窓フレーム部を簡略に示した。従来のビニールハウスはビニール開閉駆動部によって駆動されるビニール支持パイプ１４が最下端に位置する時、図１２のようにビニール窓が完全に閉まった状態になる。この時、開閉ビニール１２は完全に解けないで若干不十分に解けた状態に置いておく。それによって、風や雨が降る場合、ビニール支持パイプ１４と開閉ビニール１２は揺れることになり、これを防止するために紐で縛っておいた。このような固定観念は今までも保持されており、特に屋根窓の場合は未だに自在な開閉と固定が難しい実情である。
【０００５】
また、従来のビニールハウスは一度ビニールを設置すればビニールが破損するまで数年間ビニールを用いることになる。この時、土壌内の塩類集積による被害、またビニールが古くなって光透過率の低下による生育不振の問題を解決することができない。
【発明の概要】
【発明が解決しようとする課題】
【０００６】
本発明の目的は上述した従来技術の固定観念から脱して、ビニール支持パイプを開閉ビニールが完全に解けるように回し、さらに回して反対方向に回転させてビニールハウスフレーム部と開閉ビニールとの間に空間を形成させ、この空間に固定装置を設置して簡単で且つ便利に側面ビニールだけでなく、屋根ビニールも自在に開閉することができる開閉ビニール固定装置及びビニールハウスを提供することにある。
【０００７】
本発明の他の目的は屋根ビニールと側面ビニールの開閉時に用いられる開閉ビニール固定装置がビニール支持パイプの駆動に連動して上下に移動され、簡便にビニールが開閉されるビニールハウスを提供することにある。
【０００８】
本発明の上記した目的及び様々な長所は当該技術分野で熟練された人々によって本発明の好ましい実施例からより明確に理解されることができる。
【課題を解決するための手段】
【０００９】
本発明の目的は、ビニールハウスの開閉ビニールの下部をアークフレームに着脱可能に固定して、上記開閉ビニールを閉まった状態で保持させる開閉ビニール固定装置によって達成されることができる。本発明の開閉ビニール固定装置は、上記開閉ビニールは、上端はビニール支持パッドに固定され、下端はビニール支持パイプに結合され、上記ビニール支持パッドが挿入されるパッド挿入溝が備えられ、上記パッド挿入溝を中心に一側に上記アークフレームに回動可能に結合されるパイプ結合溝を有し、前端に上記ビニール支持パイプに係止結合される支持パイプ係止突起が形成された固定本体と、上記固定本体が上記アークフレームに対して弾性的に上下方向に移動するように支持する弾性部材とを含むことを特徴とする。
【００１０】
一実施例によれば、上記固定本体の上面には上記ビニール支持パイプが上下に移動する時、上記ビニール支持パイプの移動を案内する曲面状の支持パイプ案内面が備えられる。
【００１１】
一実施例によれば、上記パッド挿入溝を中心に他側面に内側方向へ所定深さ陥没するように形成されて上方向に上記支持パイプ係止突起が延長して形成された支持パイプ係止面が備えられる。
【００１２】
一実施例によれば、上記パッド挿入溝の一側内壁面は上記ビニール支持パッドの形状に対応するように内側に突出して形成されたパッド当接面が形成され、上記ビニール支持パイプの移動によって上記固定本体が下部に移動した時、上記パッド当接面が上記ビニール支持パッドの上面に当接して上記ビニール支持パッドと上記支持パイプ案内面が連結される。
【００１３】
一実施例によれば、上記支持パイプ案内面に水平方向に所定面積で延長して形成されて、上記固定本体の上下回動時にビニールの損傷を防止するビニール保護板をさらに含む。
【００１４】
一実施例によれば、上記固定本体の板面に上下に所定長さ貫通して形成される移動制限溝と、上記移動制限溝を通じて上記アークフレームに挿入されて上記ビニール支持パイプの移動によって上記固定本体が上下に移動する範囲を制限する移動制限軸とを含む。
【００１５】
一方、本発明の目的は、長さ方向に沿って配置される複数のアークフレームと、上記複数のアークフレームを連結する水平フレームを有するフレーム部と、上記アークフレームに沿って所定間隔で備えられてビニールを固定する複数のビニール支持パッド部と、隣接する複数のビニール支持パッド部の間に固定結合される固定ビニール部と、上記固定ビニール部と隣接するように配置され、上端は上記ビニール支持パッド部に固定され、下端はビニール支持パイプに結合される開閉ビニール部と、上記ビニール支持パイプに結合されて上記ビニール支持パイプを正逆回動させて上記開閉ビニール部が上記フレーム部に対して開閉されるようにするビニール開閉駆動部と、上記開閉ビニール固定装置とを含むことを特徴とするビニールハウスによって達成されることができる。
【００１６】
また、本発明の目的は、ビニールハウスの骨組みを形成するビニールハウスフレーム部と、ビニール支持パイプと、上記ビニール支持パイプを駆動させるビニール開閉駆動部と、上記ビニール支持パイプと一側が連結され、他側が上記ビニール支持パイプに連結された開閉ビニールとを含むビニールハウスにおいて、上記ビニール開閉駆動部は、ビニールハウスのビニール窓を閉める時、上記ビニール支持パイプを上記開閉ビニールが完全に解けるように回転させた後、上記開閉ビニールが反対方向に巻き上げられるように上記ビニール支持パイプをさらに回して上記ビニールハウスフレーム部と上記開閉ビニールとの間に空間を形成させ、上記空間に設置された開閉ビニール固定装置に上記ビニール支持パイプが固定されることを特徴とするビニールハウスによって達成される。
【発明の効果】
【００１７】
本発明によるビニールハウスは、屋根に屋根上部窓と屋根下部窓がそれぞれ開閉可能に備えられ、屋根上部窓と屋根下部窓には上部開閉ビニールと中間開閉ビニールが備えられる。屋根上部窓と屋根下部窓の下部にはそれぞれ開閉ビニール固定装置が備えられる。
【００１８】
開閉ビニール固定装置は支持パイプの荷重によって弾性的に後退したり前進したりしながら支持パイプの移動に干渉を与えないで円滑に移動するようにする。それによって、少ない力で屋根上部窓と屋根下部窓を開閉することができる。
【００１９】
従って、使用者は手動または自動方式で屋根上部窓と屋根下部窓を所望の時間に自在に開閉して用いることができる。
【００２０】
一方、開閉ビニール固定装置は移動制限溝によって上下に移動する距離が制限される。また、開閉ビニール固定装置の上面にはビニール保護板が所定面積で形成されて開閉ビニール固定装置の上下移動時に開閉ビニールと接触して開閉ビニールが損傷することを防止する。
【図面の簡単な説明】
【００２１】
【図１】本発明によるビニールハウスの開閉ビニール部を全部開放した状態の構成を示した斜視図である。
【図２】本発明によるビニールハウスの構成を示した正面図である。
【図３】本発明によるビニールハウスのビニール支持パッド部の構成を示した斜視図である。
【図４】本発明による開閉ビニール固定装置の構成を示した斜視図である。
【図５】本発明による開閉ビニール固定装置の動作過程を示した例示図である。
【図６】本発明による開閉ビニール固定装置の動作過程を示した例示図である。
【図７】本発明による開閉ビニール固定装置の動作過程を示した例示図である。
【図８】本発明によるビニールハウスの開閉ビニール部を全部開放した状態の構成を示した例示図である。
【図９】本発明の他の実施例による開閉ビニール固定装置の動作過程を示した例示図である。
【図１０】本発明の他の実施例による開閉ビニール固定装置の動作過程を示した例示図である。
【図１１】本発明のビニールハウスの屋根窓フレーム部分のみを簡略的に示した図である。
【図１２】従来技術におけるビニールハウス屋根窓フレーム部分のみを簡略的に示した図である。
【発明を実施するための形態】
【００２２】
本発明を充分に理解するために本発明の好ましい実施例を添付図面を参照して説明する。本発明の実施例は各種形態に変形することができ、本発明の範囲が以下で詳しく説明する実施例に限定されることに解釈されてはいけない。本実施例は本発明が属する技術分野において平均的な知識を有する者に本発明をより完全に説明するために提供される。従って、図面における要素の形状などはより明確な説明を強調するために拡張して表現されることができる。各図面において同じ部材は同じ参照符号で示した場合があることに留意すべきである。本発明の要旨を不必要に曖昧にするおそれがあると判断される公知機能及び構成に対する詳細な記述は省略する。
【００２３】
図１は本発明によるビニールハウス１００の開閉窓Ａ、Ｂ、Ｃを全部開放した状態を示した斜視図であり、図２はビニールハウス１００の開閉窓Ａ、Ｂ、Ｃが全部開放された状態のアークフレーム１１１の構成を示した図である。図示したように、本発明によるビニールハウス１００は、屋根上部窓Ａ、屋根下部窓Ｂ、側面窓Ｃの三つの開閉窓を有する。各開閉窓Ａ、Ｂ、Ｃは開閉ビニール部１４０と開閉ビニール固定装置１６０、１６０ａによって自在に開閉される。それによって、使用者は天気と温度及び湿度などを考慮して側面窓だけなく屋根上部窓Ａと屋根下部窓Ｂを自在に開閉することができる。
【００２４】
本発明の他のビニールハウス１００は、骨組みを形成するフレーム部１１０と、フレーム部１１０の外部にビニールを固定するビニール支持パッド部１２０と、ビニール支持パッド部１２０の間に固定される固定ビニール部１３０と、開閉窓Ａ、Ｂ、Ｃを形成する開閉ビニール部１４０と、開閉ビニール部１４０が開閉されるように駆動力を提供するビニール開閉駆動部１５０と、開閉ビニール部１４０が閉められた状態を保持するように固定する開閉ビニール固定装置１６０、１６０ａを含む。
【００２５】
フレーム部１１０は長さ方向に沿って配置された複数のアークフレーム１１１と、アークフレーム１１１を互いに連結する水平フレーム１１３とを含む。アークフレーム１１１は地下に埋設されて位置が固定され、水平フレーム１１３によって互いに位置が固定される。
【００２６】
ビニール支持パッド部１２０はフレーム部１１０の外側にビニールが固定されるように支持する。ビニール支持パッド部１２０は、図２に示したように、アークフレーム１１１に沿って複数が配置される。ビニール支持パッド部１２０は屋根窓上部パッド１２１、屋根窓中間パッド１２３、屋根窓下部パッド１２５、横窓上部パッド１２７、横面下部パッド１２９が所定間隔でアークフレーム１１１の両側に一対ずつ配置される。
【００２７】
屋根窓上部パッド１２１は上部固定ビニール１３１と上部開閉ビニール１４１を固定する。屋根窓中間パッド１２３は中間開閉ビニール１４３の上端を固定する。屋根窓下部パッド１２５と横窓上部パッド１２７は肩固定ビニール１３３の両端をそれぞれ固定する。また、横窓上部パッド１２７は下部開閉ビニール１４５の上端を支持する。横面下部パッド１２９は下部固定ビニール１３５の上部を固定する。
【００２８】
図３は横窓上部パッド１２７の構成を示した斜視図である。図示したように、横窓上部パッド１２７は複数のアークフレーム１１１を互いに連結するように水平方向に配置される。横窓上部パッド１２７は断面形状が「コ」の字状に上方向に開口が形成される。開放された開口を通じて下部開閉ビニール１４５の上端が挿入され、下部開閉ビニール１４５に加圧するようにビニール固定部材１２７ａが挿入される。ビニール固定部材１２７ａの加圧によって下部開閉ビニール１４５の上端が横窓上部パッド１２７の内部に固定された状態を保持する。
【００２９】
屋根窓上部パッド１２１、屋根窓中間パッド１２３、屋根窓下部パッド１２５及び横面下部パッド１２９も横窓上部パッド１２７と同じ方式でビニールを固定する。この時、固定ビニール１３１、１３３、１３５と開閉ビニール１４１、１４３、１４５とが一緒に接する屋根窓上部パッド１２１と横窓上部パッド１２７は固定ビニールと開閉ビニールを一緒に固定する。
【００３０】
使用者はビニール支持パッド部１２０にビニール固定部材１２７ａを利用してビニールに加圧してビニールを固定することができるので、簡便にビニールを取り替ることができる。
【００３１】
固定ビニール部１３０はビニールハウス１００のフレーム部１１０に開閉されない位置で固定される。本発明のビニールハウス１００には上部固定ビニール１３１、肩固定ビニール１３３及び下部固定ビニール１３５が備えられる。上部固定ビニール１３１はアークフレーム１１１の最上端に所定面積で形成される。肩固定ビニール１３３はアークフレーム１１１の側面と屋根を連結する領域に所定面積で形成される。下部固定ビニール１３５はアークフレーム１１１と地面との間の側面下部領域に所定面積で形成される。
【００３２】
上部固定ビニール１３１は一対の屋根窓上部パッド１２１に固定される。肩固定ビニール１３３は屋根窓下部パッド１２５と横窓上部パッド１２７に両端が固定される。下部固定ビニール１３５は上部は横面下部パッド１２９に固定され、下部は地面内部に埋め込まれる。
【００３３】
開閉ビニール部１４０は開閉窓Ａ、Ｂ、Ｃを開閉する。開閉ビニール部１４０は、屋根上部窓Ａを開閉する上部開閉ビニール１４１と、屋根下部窓Ｂを開閉する中間開閉ビニール１４３と、側面窓Ｃを開閉する下部開閉ビニール１４５とを含む。
【００３４】
上部開閉ビニール１４１は、上端は屋根窓上部パッド１２１に固定され、下部は上部ビニール支持パイプ１４２に結合される。中間開閉ビニール１４３は上端は屋根窓中間パッド１２３に固定され、下部は中間ビニール支持パイプ１４４に結合される。下部開閉ビニール１４５は上端は横窓上部パッド１２７に固定され、下部は下部ビニール支持パイプ１４６に結合される。
【００３５】
各ビニール支持パイプ１４２、１４４、１４６は開閉ビニール１４１、１４３、１４５の下部に巻かれた状態で固定される。各ビニール支持パイプ１４２、１４４、１４６はビニール開閉駆動部１５０と結合され、ビニール開閉駆動部１５０の駆動によって正逆方向に回転する。ビニール開閉駆動部１５０によって各ビニール支持パイプ１４２、１４４、１４６が上方向にビニールが巻かれる方向に回転すれば、上記開閉ビニール１４１、１４３、１４５がビニール支持パイプ１４２、１４４、１４６に巻かれ、開閉窓Ａ、Ｂ、Ｃが開放される。
【００３６】
一方、開閉ビニール１４１、１４３、１４５が閉められる方向にビニール開閉駆動部１５０が駆動されると、各ビニール支持パイプ１４２、１４４、１４６が開閉ビニール１４１、１４３、１４５を解きながら開閉窓Ａ、Ｂ、Ｃを開閉ビニール１４１、１４３、１４５がカバーするようになる。
【００３７】
ビニール開閉駆動部１５０は、図１に示したように、各ビニール支持パイプ１４２、１４４、１４６に結合されてビニール支持パイプ１４２、１４４、１４６を正逆方向に回転させて開閉ビニール１４１、１４３、１４５が巻かれたり解けたりする。ビニール開閉駆動部１５０は、ビニール支持パイプ１４２、１４４、１４６と結合される開閉本体１５１と、開閉本体１５１に結合されたレバー１５３とを含む。開閉本体１５１の内部にはチェーンギアなどが備えられてビニール支持パイプ１４２、１４４、１４６が回転されるようにする。
【００３８】
この時、ビニール開閉駆動部１５０はモーターの駆動力によって自動に駆動されるか、使用者がレバー１５３を直接回転させる駆動方式で駆動されることができる。
【００３９】
また、ビニール開閉駆動部１５０は上部開閉ビニール１４１、中間開閉ビニール１４３及び下部開閉ビニール１４５をそれぞれ駆動するように備えられるか、いっぺんに駆動されるように備えられることもできる。
【００４０】
開閉ビニール固定装置１６０、１６０ａは開閉ビニール部１４０が開閉窓Ａ、Ｂ、Ｃを閉めた状態で各開閉ビニール１４１、１４３、１４５が固定された状態を保持するようにする。各開閉ビニール１４１、１４３、１４５は閉められた状態で風が吹いたり外力が作用すれば、ばたついたり位置から外れたりして破れたり損傷したりすることがある。そこで、開閉ビニール固定装置１６０、１６０ａは閉められた状態の各ビニール支持パイプ１４２、１４４、１４６に係止結合されて開閉ビニール部１４０が安定的に閉められた状態が保持される。
【００４１】
開閉ビニール固定装置１６０、１６０ａは、図１に示したように、複数のアークフレーム１１１に所定間隔で複数が配置される。開閉ビニール固定装置１６０、１６０ａの間の間隔が狭いほど開閉ビニールに対する固定力が向上して風が吹いたり外力が作用してもビニールハウスを安定的に維持することができる。
【００４２】
図４は本発明の開閉ビニール固定装置１６０、１６０ａは上部ビニール支持パイプ１４２を固定する上部開閉ビニール固定装置１６０と、中間ビニール支持パイプ１４４を固定する中間開閉ビニール固定装置１６０ａを含む。上部開閉ビニール固定装置１６０と中間開閉ビニール固定装置１６０ａは同じ構成で同様に動作する。
【００４３】
開閉ビニール固定装置１６０、１６０ａはアークフレーム１１１に回動可能に結合される固定本体１６１と、固定本体１６１をアークフレーム１１１に回動可能に支持するパイプ固定ボルト１６２ａと、開閉ビニール固定装置１６０、１６０ａが移動する距離を制限する移動制限軸１６４ａと、固定本体１６１が初期位置に復帰するように弾性力を作用させる弾性部材１６５と、固定本体１６１の上面に結合されて開閉ビニール１４１、１４３、１４５を保護するビニール保護板１６７とを含む。
【００４４】
図５は上部開閉ビニール固定装置１６０が上部ビニール支持パイプ１４２を固定する過程を示した例示図である。
【００４５】
固定本体１６１は前方から後方に行くほど幅が細くなる流線形に形成される。固定本体１６１の上面には第１支持パイプ案内面１６１ａと第２支持パイプ案内面１６１ｂが形成される。第１支持パイプ案内面１６１ａと第２支持パイプ案内面１６１ｂは、ビニール開閉駆動部１５０によって上部ビニール支持パイプ１４２が回転されると上部開閉ビニール１４１を巻いたり解く時に円滑に移動することができるように、曲面状に形成される。第１支持パイプ案内面１６１ａは上部ビニール支持パイプ１４２が上方向に移動して上部開閉ビニール１４１を巻く時、抵抗を与えないように内側方向へ緩やかな傾斜を有する曲面に形成される。
【００４６】
固定本体１６１の他側には上部ビニール支持パイプ１４２と係止結合される支持パイプ係止面１６１ｃが形成される。支持パイプ係止面１６１ｃは上部ビニール支持パイプ１４２の直径に対応する曲率ｒ２で固定本体１６１の側面から陥没形成される。そして、支持パイプ係止面１６１ｃの上面には固定本体１６１の側面から所定高さ突出した支持パイプ係止突起１６１ｄが備えられる。
【００４７】
支持パイプ係止面１６１ｃと支持パイプ係止突起１６１ｄは、図７に示したように、第１支持パイプ案内面１６１ａと第２支持パイプ案内面１６１ｂに沿って移動した上部ビニール支持パイプ１４２を収容して位置を固定する。上部ビニール支持パイプ１４２は陥没形成された支持パイプ係止面１６１ｃに挿入され、突出した支持パイプ係止突起１６１ｄが上部ビニール支持パイプ１４２の上面を覆って上部ビニール支持パイプ１４２の位置が固定されるようにする。
【００４８】
固定本体１６１の一側にはパイプ結合溝１６２が貫通して形成される。パイプ結合溝１６２にはパイプ固定ボルト１６２ａが挿入される。パイプ固定ボルト１６２ａはパイプ結合溝１６２とアークフレーム１１１に一緒に貫通して挿入される。それによって、パイプ固定ボルト１６２ａを中心に固定本体１６１が回動されることができる。
【００４９】
固定本体１６１の板面にはビニール支持パッド部１２０が挿入されるパッド挿入溝１６３が所定面積で形成される。図４に示したように、上部開閉ビニール固定装置１６０は屋根窓中間パッド１２３の下部に結合される。上部開閉ビニール固定装置１６０が上下に移動される時、屋根窓中間パッド１２３がパッド挿入溝１６３の内部に挿入される。よって、パッド挿入溝１６３は屋根窓中間パッド１２３の幅に対応する幅で形成される。
【００５０】
パッド挿入溝１６３の内側の壁上部には屋根窓中間パッド１２３に向けて中心方向に突出されたパッド当接面１６３ａが形成される。パッド当接面１６３ａは屋根窓中間パッド１２３の形状に対応するように突出して形成されて固定本体１６１が上下に移動される時、屋根窓中間パッド１２３の上面に当接する。それによって、屋根窓中間パッド１２３と固定本体１６１とが互いに接触支持されて、第１支持パイプ案内面１６１ａと屋根窓中間パッド１２３が互いに柔らかく連結される。
【００５１】
従って、第１支持パイプ案内面１６１ａと屋根窓中間パッド１２３との連結領域に段差や出っ張りが発生せずに柔らかく連結される。上部ビニール支持パイプ１４２は固定本体１６１に沿って上部開閉ビニール１４１を巻き上げたり上部開閉ビニール１４１を解いて下げる時、第１支持パイプ案内面１６１ａと屋根窓中間パッド１２３及び第２支持パイプ案内面１６１ｂを連結する連結面に沿って円滑に移動することができる。
【００５２】
一方、パッド挿入溝１６３の一側には固定本体１６１の上下移動方向に沿って所定長さ貫通して形成された移動制限溝１６４が備えられる。移動制限溝１６４には移動制限軸１６４ａがアークフレーム１１１を貫いて挿入される。移動制限溝１６４は固定本体１６１が上部ビニール支持パイプ１４２の移動時に上部ビニール支持パイプ１４２の重量によって下部に移動する距離を制限する。それによって、固定本体１６１が、アークフレーム１１１から離脱したり、損傷したりすることを予防することができる。
【００５３】
パッド挿入溝１６３には下部に移動した固定本体１６１を初期位置に復帰させる弾性部材１６５が備えられる。弾性部材１６５は上端は屋根窓中間パッド１２３が結合されたアークフレーム１１１に固定され、下端はパッド挿入溝１６３に固定される。弾性部材１６５は、上部ビニール支持パイプ１４２の移動時に上部ビニール支持パイプ１４２の重量によって下部に移動した固定本体１６１が、上部ビニール支持パイプ１４２の荷重が除去されると初期位置に復帰するようにする。弾性部材１６５は固定本体１６１が上部に移動した位置に移動する方向へ弾性力を作用させる。
【００５４】
一方、固定本体１６１の第１支持パイプ案内面１６１ａと第２支持パイプ案内面１６１ｂにはビニール保護板１６７が所定面積で結合される。ビニール保護板１６７は固定本体１６１が上下に移動する時、第１支持パイプ案内面１６１ａと第２支持パイプ案内面１６１ｂの鋭い端部が上部開閉ビニール１４１と中間開閉ビニール１４３と接触してビニールを損傷することを防止する。
【００５５】
ビニール保護板１６７は広い面積を有するように形成され、柔らかい曲面を有するように形成される。それによって、接触するビニールの損傷を防止する。
【００５６】
このような構成を有する本発明によるビニールハウス１００の開閉窓Ａ、Ｂ、Ｃの開閉過程を図１〜図８を参照して説明する。
【００５７】
図８は本発明によるビニールハウス１００の開閉窓Ａ、Ｂ、Ｃが全部閉められた状態を示した例示図である。図示したように、屋根上部窓Ａは上部開閉ビニール１４１によって閉められた状態で、屋根下部窓Ｂは中間開閉ビニール１４３によって閉められた状態で、側面窓Ｃは下部開閉ビニール１４５によって閉められた状態である。
【００５８】
この時、上部開閉ビニール１４１の上部ビニール支持パイプ１４２は上部開閉ビニール固定装置１６０によって固定され、中間開閉ビニール１４３の中間ビニール支持パイプ１４４は下部開閉ビニール固定装置１６０ａによって固定される。
【００５９】
図７に示したように、固定本体１６１の支持パイプ係止面１６１ｃと支持パイプ係止突起１６１ｄとの間に上部ビニール支持パイプ１４２が係止結合されて位置が固定される。この時、固定本体１６１のパッド挿入溝１６３に挿入された屋根窓中間パッド１２３に結合された中間開閉ビニール１４３の板面には固定本体１６１の第２支持パイプ案内面１６１ｂが挿入される挿入孔（図示しない）が貫通して形成される。固定本体１６１は上下に移動する時、中間開閉ビニール１４３を貫通して移動する。
【００６０】
中間ビニール支持パイプ１４４も同じ構成で下部開閉ビニール固定装置１６０ａに固定される。
【００６１】
この状態で、使用者がビニール開閉駆動部１５０を駆動して開閉窓Ａ、Ｂ、Ｃを開放すれば、上部ビニール支持パイプ１４２と中間ビニール支持パイプ１４４及び下部ビニール支持パイプ１４６が上方向に移動しながら開閉ビニール１４１、１４３、１４５を巻く。
【００６２】
上部ビニール支持パイプ１４２と、中間ビニール支持パイプ１４４は図７の状態で時計回り方向に回転しながら支持パイプ係止突起１６１ｄと支持パイプ係止面１６１ｃから離脱する。そして、第２支持パイプ案内面１６１ｂに沿って上方向に移動する。
【００６３】
ビニール開閉駆動部１５０の駆動力によって上部ビニール支持パイプ１４２は強制的に回転して移動し、上部ビニール支持パイプ１４２の重量によってパイプ固定ボルト１６２ａを中心に固定本体１６１は下部方向に回動しながら後退する。
【００６４】
それによって、図６に示したように、固定本体１６１の第２支持パイプ案内面１６１ｂと第１支持パイプ案内面１６１ａが屋根窓中間パッド１２３と同じ高さに後退する。パッド当接面１６３ａが第１支持パイプ案内面１６１ａの上部に当接して連結面が形成される。上部ビニール支持パイプ１４２は固定本体１６１が後退しながら屋根窓中間パッド１２３の高さだけ越えて移動する。この時も第２支持パイプ案内面１６１ｂと屋根窓中間パッド１２３及び第１支持パイプ案内面１６１ａが全体的に柔らかい傾斜面を形成するので、上部ビニール支持パイプ１４２が少ない力で円滑に移動することができる。従って、使用者が手動で開閉窓Ａ、Ｂ、Ｃを駆動しても労力を最小化することができる。
【００６５】
一方、図７に示したように、上部ビニール支持パイプ１４２が屋根窓中間パッド１２３を経て第１支持パイプ案内面１６１ａに移動すると、固定本体１６１に加えられる荷重が最大になるので、固定本体１６１は最大限に下部に移動するようになる。この時、移動制限軸１６４ａを中心に固定本体１６１が移動制限溝１６４に沿って移動して固定本体１６１が移動する距離が制限される。
【００６６】
上部ビニール支持パイプ１４２は固定本体１６１を経て上方向に移動し、表面に上部開閉ビニール１４１を巻いて移動して、図２に示したように、屋根上部窓Ａを開放するようになる。これと同じ動作で屋根下部窓Ｂと側面窓Ｃも開放されることができる。
【００６７】
ここで、屋根上部窓Ａと屋根下部窓Ｂ及び側面窓Ｃが開放される程度は使用者がビニール開閉駆動部１５０を駆動する程度によって調節されることができる。開閉窓Ａ、Ｂ、Ｃが完全に開放される場合、図２に示したように、ビニール支持パイプ１４２、１４４、１４６が支持パイプ係止突起１６１ｄに係止支持される。
【００６８】
また、この時、ビニール開閉駆動部１５０の開閉本体１５１内部のギアがビニール支持パイプ１４２、１４４、１４６を取っていて、屋根上部窓Ａと屋根下部窓Ｂ及び側面窓Ｃの開放された状態が安定的に保持されることができる。
【００６９】
一方、開放された開閉窓Ａ、Ｂ、Ｃを閉めようとする場合、使用者はビニール開閉駆動部１５０を逆方向に駆動させる。それによって、図５に示したように、上部ビニール支持パイプ１４２がアークフレーム１１１に沿って下部方向に回転して移動し、上部ビニール支持パイプ１４２が解けながら屋根上部窓Ａを閉めるようになる。
【００７０】
上部ビニール支持パイプ１４２が第１支持パイプ案内面１６１ａに沿って移動し、上部ビニール支持パイプ１４２の荷重によって固定本体１６１がパイプ固定ボルト１６２ａを中心に回動して後退する。そして、図６に示したように、上部ビニール支持パイプ１４２が第２支持パイプ案内面１６１ｂに沿って移動し、上部開閉ビニール１４１によって加圧されて固定本体１６１が後退した状態が保持される。
【００７１】
図７に示したように、上部ビニール支持パイプ１４２が第２支持パイプ案内面１６１ｂを経由して支持パイプ係止面１６１ｃに移動して支持パイプ係止突起１６１ｄに係止結合される。この時、固定本体１６１の上部に作用していた上部ビニール支持パイプ１４２の荷重がなくなりながら固定本体１６１は弾性部材１６５の弾性力によって上方向に復帰する。それによって、移動制限軸１６４ａが移動制限溝１６４の最下部に移動するようになる。
実施形態
【００７２】
一方、図９及び図１０は本発明の他の実施例による開閉ビニール固定装置１７０の動作過程を示した例示図である。
【００７３】
上述した好ましい実施例による開閉ビニール固定装置１６０、１６０ａはパイプ固定ボルト１６２ａが開閉ビニールを開放する方向側に設置される。即ち、アークフレーム１１１の上方向に設置される。
【００７４】
一方、他の実施例による開閉ビニール固定装置１６０、１６０ａはパイプ固定ボルト１６２ａが開閉ビニールを閉める方向側に設置される。即ち、アークフレーム１１１の下部方向に設置される。この場合には、パッド挿入溝１７１ｃの内部に支持パイプ係止突起１７１ｄが形成されるので、ビニール支持パイプ１４２がパッド挿入溝１７１ｃの内部に係止結合される。
【００７５】
図１１は、本発明の概念を説明するために、ビニールハウス屋根窓フレーム部分のみを簡略的に示した図面で、ビニール開閉駆動部１５０（図１参照）がビニールハウスのビニール窓を閉める時、ビニール支持パイプ２１８を開閉ビニール２１２が完全に解けるように回転させた後、開閉ビニール２１２が図１２の矢印方向のような反対方向に巻き上げられるようにビニール支持パイプ２１８をさらに回してビニールハウスフレーム部２１４と開閉ビニール２１２との間に空間２１０を形成させる。このように空間２１０が形成されると、この空間２１０に開閉ビニール固定装置２２０を設置することができ、この開閉ビニール固定装置２２０にビニール支持パイプ２１８が図１１の矢印方向に回転される動作だけで自動的に簡単に固定されることができる。
【００７６】
ビニール窓を開ける時は、ビニール開閉駆動部１５０がビニール支持パイプ２１８を図１１の矢印と反対方向に回転させる動作だけでビニール支持パイプ２１８は開閉ビニール固定装置２２０から離脱され、続いて回転させると開閉ビニール２１２を矢印の反対方向に巻き上げてビニール窓をオープンさせる。
【００７７】
以上で説明した本発明によるビニールハウスは、屋根に屋根上部窓と屋根下部窓がそれぞれ開閉可能に備えられ、屋根上部窓と屋根下部窓には上部開閉ビニールと中間開閉ビニールが備えられる。屋根上部窓と屋根下部窓の下部にはそれぞれ開閉ビニール固定装置が備えられる。
【００７８】
開閉ビニール固定装置は支持パイプの荷重によって弾性的に後退したり前進したりしながら支持パイプの移動に干渉を与えないで円滑に移動するようにする。それによって、少ない力で屋根上部窓と屋根下部窓を開閉することができる。
【００７９】
従って、使用者は手動または自動方式で屋根上部窓と屋根下部窓を所望の時間に自在に開閉して用いることができる。
【００８０】
一方、開閉ビニール固定装置は移動制限溝によって上下に移動する距離が制限される。また、開閉ビニール固定装置の上面にはビニール保護板が所定面積で形成されて開閉ビニール固定装置の上下移動時に開閉ビニールと接触されて開閉ビニールが損傷することを防止する。
【００８１】
以上で説明した本発明のビニールハウスの実施例は例示的なものに過ぎず、本発明が属する技術分野における通常の知識を有する者であればこれから多様な変形及び均等な他の実施例が可能であることをよく理解することができる。そこで、本発明は上記の詳細な説明で言及される形態のみに限定されないことをよく理解すべきである。従って、本発明の真正な技術的保護範囲は添付された特許請求の範囲の技術的思想によって定められるべきである。また、本発明は特許請求の範囲によって定義される本発明の精神及びその範囲内にある全ての変形物と均等物及び代替物を含むことに理解すべきである。
【産業上の利用可能性】
【００８２】
本発明は開閉ビニール固定装置及びこれを含むビニールハウスに関するもので、ビニールハウスの製造及び設置分野に適用することができる。
【図１】
2018500005.tif 000003
【図２】
2018500005.tif 000004
【図３】
2018500005.tif 000005
【図４】
2018500005.tif 000006
【図５】
2018500005.tif 000007
【図６】
2018500005.tif 000008
【図７】
2018500005.tif 000009
【図８】
2018500005.tif 000010
【図９】
2018500005.tif 000011
【図１０】
2018500005.tif 000012
【図１１】
2018500005.tif 000013
【図１２】
2018500005.tif 000014
【国際調査報告】
2018500005.tif 000015
2018500005.tif 000016
2018500005.tif 000017
2018500005.tif 000018